(57)【要約】【課題】安定した強度と良好な美観を容易に確保することができる釣竿用竿体とそれを備えた釣竿を提供する。【解決手段】プリプレグから筒状に形成された本体層を備え、該本体層は、前側に位置し、断面形状が第一の形状である第一領域４０と、後側に位置し、断面形状が前記第一の形状とは異なる第二の形状である第二領域４２と、第一領域４０と第二領域４２との間に位置し、前側から後側に向けて断面形状が徐々に第一の形状から第二の形状へと変化していく移行領域４１とからなる前後異形部を有し、該前後異形部は、該前後異形部に対応した長さを有すると共に第二領域４２における一周巻き分未満の幅を有する複数枚のプリプレグを、重ね合わせ部を形成しつつ周方向に並べるように巻回して筒状とされた周方向分割層を有している。【選択図】図２
2015133936.tif 000002
【特許請求の範囲】
【請求項１】
プリプレグから筒状に形成された本体層を備え、
該本体層は、前側に位置し、断面形状が第一の形状である第一領域と、後側に位置し、断面形状が前記第一の形状とは異なる第二の形状である第二領域と、第一領域と第二領域との間に位置し、前側から後側に向けて断面形状が徐々に第一の形状から第二の形状へと変化していく移行領域とからなる前後異形部を有し、
該前後異形部は、該前後異形部に対応した長さを有すると共に第二領域における一周巻き分未満の幅を有する複数枚のプリプレグを、重ね合わせ部を形成しつつ周方向に並べるように巻回して筒状とされた周方向分割層を有していることを特徴とする釣竿用竿体。
【請求項２】
第二領域の断面形状は辺の数が奇数の多角形であって、その辺の数に相当する枚数のプリプレグにより第二領域における一層分の周方向分割層が構成されている請求項１記載の釣竿用竿体。
【請求項３】
第二領域の断面形状は辺の数が偶数の多角形であって、その辺の数の１以外の約数に相当する枚数のプリプレグにより第二領域における一層分の周方向分割層が構成されている請求項１記載の釣竿用竿体。
【請求項４】
第二領域において、前記重ね合わせ部は多角形の角部に位置している請求項２又は３記載の釣竿用竿体。
【請求項５】
第二領域において、前記重ね合わせ部は多角形の辺の中央部に位置している請求項２又は３記載の釣竿用竿体。
【請求項６】
本体層は、前側に位置する細筒部と、後側に位置する太筒部と、細筒部と太筒部との間に位置し、細筒部の勾配及び太筒部の勾配よりも急勾配で後側に向けて内外面共に拡大している急拡大部とを備え、該急拡大部に前記移行領域が位置している請求項１乃至５の何れかに記載の釣竿用竿体。
【請求項７】
請求項１乃至６の何れかに記載の釣竿用竿体を備えた釣竿。
【発明の詳細な説明】
【技術分野】
【０００１】
本発明は、釣竿用竿体とそれを備えた釣竿に関する。
【背景技術】
【０００２】
釣竿は、中空状である場合、一般的には円筒状であり、従って、その断面形状は円形である。しかしながら、釣竿の一部を円筒状とは異なる形状としたい場合がある。例えば、釣竿の竿元部にグリップ部を備える場合においてそのグリップ部を円筒形状ではなく多角形の断面形状とすることにより、グリップ性を向上させたいという場合がある。
【０００３】
このような場合には、断面形状が多角形のグリップ用の竿体を別体にて形成し、それを前側の主たる円筒状の竿体と接合一体化することが考えられる。しかしながら、円筒状の竿体と角筒状の竿体を前後に接合一体化させると、その接合部分で応力集中が起こりやすなって強度確保が困難となる。
【０００４】
そこで、このような前後で断面形状が異なる部分である前後異形部を、前後に接合した接合部分を設けることなくその全長に亘って連続的に形成することが望まれる。即ち、前後異形部の全長に対応した長さを有するプリプレグを使用して竿体を形成することが望まれるのである。しかしながら、マンドレルにプリプレグを多数回巻きで周回させると、断面形状が前後で異なっているために、プリプレグにシワや捻れが生じやすく、安定した強度と良好な美観を有する竿体を製造することが困難であるという問題があった。
【先行技術文献】
【特許文献】
【０００５】
【特許文献１】特開２０１３−１７９９４８号公報
【発明の概要】
【発明が解決しようとする課題】
【０００６】
それゆえに本発明は上記従来の問題点に鑑みてなされ、安定した強度と良好な美観を容易に確保することができる釣竿用竿体とそれを備えた釣竿を提供することを課題とする。
【課題を解決するための手段】
【０００７】
本発明は上記課題を解決すべくなされたものであって、本発明に係る釣竿用竿体は、プリプレグから筒状に形成された本体層を備え、該本体層は、前側に位置し、断面形状が第一の形状である第一領域と、後側に位置し、断面形状が前記第一の形状とは異なる第二の形状である第二領域と、第一領域と第二領域との間に位置し、前側から後側に向けて断面形状が徐々に第一の形状から第二の形状へと変化していく移行領域とからなる前後異形部を有し、該前後異形部は、該前後異形部に対応した長さを有すると共に第二領域における一周巻き分未満の幅を有する複数枚のプリプレグを、重ね合わせ部を形成しつつ周方向に並べるように巻回して筒状とされた周方向分割層を有していることを特徴とする。尚、竿先側を前側とし、竿尻側を後側とする。
【０００８】
該構成の釣竿用竿体にあっては、前後異形部の全長に対応した長さを有する一枚のプリプレグを一周以上巻回して前後異形部を形成するのではなく、前後異形部が、第二領域における一周巻き分未満の幅を有する複数枚のプリプレグから筒状とした周方向分割層を有する構成であるので、前後異形部における断面形状が前後で異なっていてもプリプレグにシワや捻れが生じにくい。即ち、本体層の前後異形部における周方向分割層は、周方向に隣り合うプリプレグの側縁部同士が重ね合わせられた重ね合わせ部を有しており、このような重ね合わせ部を形成しながら複数枚のプリプレグを周方向に並べて筒状に構成されたものである。また、前後異形部の全長に対応した長さを有するプリプレグから周方向分割層が構成されているので、前後に接合された接合部分、即ち前後の繋ぎ目が前後異形部に存在せず、前後異形部における応力集中が防止されて、曲げ強度を容易に確保できる。更に、重ね合わせ部が前後方向に筋状に延びて前後異形部の全長に亘って形成されているので、該筋状の重ね合わせ部があたかもリブとして機能することにもなり、前後異形部における曲げ強度も容易に確保できる。尚、周方向分割層は一層であってもよいし二層以上設けられていてもよい。また、本体層が全長に亘って一層又は複数層の周方向分割層により構成されていてもよいが、本体層の全長のうち少なくとも前後異形部に一層又は複数層の周方向分割層が設けられていればよい。尚、本体層の全長を前後異形部としてもよい。
【０００９】
特に、第二領域の断面形状は辺の数が奇数の多角形であって、その辺の数に相当する枚数のプリプレグにより第二領域における一層分の周方向分割層が構成されていることが好ましい。尚、多角形は、辺と辺との間の頂点である角部を有しているが、その角部は所定の円弧となっていてよく、また、辺も直線ではなく外側凸の曲線であってもよい。第二領域の断面形状が三角形や五角形に代表される奇数の辺を有する多角形の場合には、その辺の数と同数のプリプレグを使用して第二領域における一層分の周方向分割層を構成することが好ましく、バランスの良い竿体となる。尚、例えば第二領域の断面形状が五角形である場合には、五枚のプリプレグを使用して第二領域における一層分の周方向分割層が構成されることになり、第二領域の断面形状が正五角形である場合には、五枚のプリプレグは、それぞれ正五角形の一周を五つに等分割した各領域を受け持つことになる。
【００１０】
また、第二領域の断面形状は辺の数が偶数の多角形であって、その辺の数の１以外の約数に相当する枚数のプリプレグにより第二領域における一層分の周方向分割層が構成されていることが好ましい。この場合も第二領域の断面形状が四角形や六角形に代表される偶数の辺を有する多角形の場合には、その辺の数の１以外の約数に相当する枚数のプリプレグを使用して第二領域における一層分の周方向分割層を構成することが好ましく、バランスの良い竿体となる。例えば、第二領域の断面形状が四角形である場合には、二枚あるいは四枚のプリプレグにより一層分の周方向分割層を構成し、第二領域の断面形状が六角形である場合には、二枚、三枚、六枚の何れかの枚数のプリプレグにより一層分の周方向分割層を構成する。尚、例えば正六角形であって、二枚のプリプレグを使用して第二領域における一層分の周方向分割層を構成する場合には、それらの二枚のプリプレグは、それぞれ正六角形の一周を二つに等分割した各領域を受け持つことが好ましく、同様に、三枚のプリプレグを使用して第二領域における一層分の周方向分割層を構成する場合には、それらの三枚のプリプレグは、それぞれ正六角形の一周を三つに等分割した各領域を受け持つことが好ましく、六枚のプリプレグを使用して第二領域における一層分の周方向分割層を構成する場合には、それらの六枚のプリプレグは、それぞれ正六角形の一周を六つに等分割した各領域を受け持つことが好ましい。
【００１１】
更に、第二領域において、前記重ね合わせ部は、多角形の角部に位置していることが好ましく、また、多角形の辺の中央部に位置していることも好ましい。このように、第二領域において、重ね合わせ部が多角形の角部あるいは辺の中央部に位置しているとバランスの良い竿体が得られる。
【００１２】
また、本体層は、前側に位置する細筒部と、後側に位置する太筒部と、細筒部と太筒部との間に位置し、細筒部の勾配及び太筒部の勾配よりも急勾配で後側に向けて内外面共に拡大している急拡大部とを備え、該急拡大部に前記移行領域が位置していることが好ましい。本体層が前後異形部を備えると共に急拡大部も備える場合においては、プリプレグを巻回する際により一層シワや捻れが発生しやすいが、細筒部から太筒部までの長さを有する複数枚のプリプレグによって周方向分割層を構成することにより、シワや捻れの発生を抑制できて、安定した強度が確保され、また、良好な美観も得られる。尚、細筒部の勾配や太筒部の勾配は、何れも０であってもよい、即ち、ストレート形状であってもよい。
【００１３】
また、本発明に係る釣竿は、上述したような釣竿用竿体を備えたものである。
【発明の効果】
【００１４】
以上のように、このように、本体層の前後異形部が、それに対応した長さを有する複数枚のプリプレグによって筒状とされた周方向分割層を有する構成であるので、前後異形部に対応した長さを有する一枚のプリプレグを一周以上巻回して筒状とした全周連続層を有する構成に比して、プリプレグにシワや捻れが発生しにくく、安定した強度と良好な美観が容易に得られる。
【図面の簡単な説明】
【００１５】
【図１】本発明の一実施形態における釣竿の要部を示す断面図。
【図２】同実施形態の釣竿に使用されている竿体を示す正面図。
【図３】（ａ）は図２のＡ−Ａ端面図、（ｂ）は図２のＢ−Ｂ端面図。
【図４】同実施形態の竿体の製造方法を示す正面図。
【図５】同実施形態の竿体の製造方法を示す斜視図。
【図６】同実施形態の竿体に使用されるプリプレグの一例を示す構成図。
【図７】（ａ）及び（ｂ）は本発明の他の実施形態における竿体の図３（ａ）及び図３（ｂ）に対応した箇所の断面図。
【図８】同実施形態の竿体の製造方法を示す斜視図。
【図９】本発明の他の実施形態における竿体の製造方法を示す斜視図。
【図１０】本発明の他の実施形態における竿体の製造方法を示す斜視図。
【図１１】（ａ）及び（ｂ）はそれぞれ本発明の他の実施形態における竿体の図３（ｂ）に対応した箇所の断面図。
【図１２】（ａ）及び（ｂ）はそれぞれ本発明の他の実施形態における竿体の図３（ｂ）に対応した箇所の断面図。
【発明を実施するための形態】
【００１６】
以下、本発明の一実施形態に係る釣竿及びそれに使用されている竿体について図１〜図６を参酌しつつ説明する。図１に示すように、本実施形態における釣竿は、リールを取り付けるためのリールシート１を備えたものである。該リールシート１は、パイプシートとも称される筒状のものであって、リールシート本体１０と、可動フード体１１と、ナット１２とを備えている。リールシート本体１０は、合成樹脂等から成形により形成されたものであって、リールの脚部１００を載置するためのリール脚載置部１３と、リールの脚部１００の一方が差し込まれる固定フード部１４とを有している。尚、本実施形態ではスピニングリールを取り付けるためのリールシート１を例に説明しており、従って、図１に示すように、リールシート本体１０のリール脚載置部１３は使用状態において下側に位置するが、両軸リールを取り付けるためのリールシート１であってもよい。また、リールシート本体１０の固定フード部１４は前側に位置しているが後側であってもよい。リールシート本体１０の第二領域には雄ねじ部１５が形成されており、該雄ねじ部１５にナット１２が螺合している。ナット１２の前側に、リールの脚部１００の他方が差し込まれる可動フード体１１が位置している。可動フード体１１はナット１２に相対回転可能に係止されているので、ナット１２を回転させることで可動フード体１１は回転することなくナット１２と共に前後に移動する。該可動フード体１１を前側に移動させる、即ち、固定フード部１４に接近させることでリールの脚部１００を前後に狭持しつつリールシート本体１０に固定することができる。また、可動フード体１１を後側に移動させる、即ち、固定フード部１４から離反させることでリールの脚部１００の固定状態が解除されて、リールを釣竿から取り外すことができる。更に、リールシート１の前側にはフロントグリップ部７が設けられている。該フロントグリップ部７は、リールシート本体１０とは別体であって、ＥＶＡ等の発泡性合成樹脂やコルク等から形成されている。
【００１７】
このようにリールシート１が装着された釣竿は、竿本体２と、該竿本体２の後側に所定長さの前後重ね合わせ部４を形成するようにして接着され一体化されたリアグリップ竿体３とを備えている。竿本体２とリアグリップ竿体３とを前後に接合させた接合部分である前後重ね合わせ部４においては、竿本体２の後端部が内側に位置し、その外側にリアグリップ竿体３の前端部が位置しているが、逆であってもよい。
【００１８】
竿本体２は、所定形状に裁断されたシート状のプリプレグをマンドレルに巻回して筒状に形成した本体層を備えたものであって、プリプレグの強化繊維としてはカーボン繊維やガラス繊維等が使用でき、特にカーボン繊維が好ましく、またカーボン繊維を使用する場合にはその比率を高くすることが好ましい。図２にリアグリップ竿体３を示しているが、このリアグリップ竿体３も、所定形状に裁断されたシート状のプリプレグをマンドレルに巻回して筒状に形成した本体層を備えており、その本体層がリアグリップ竿体３の全長に亘って形成されているものを例示するが、その製法については後述する。尚、図２に示しているリアグリップ竿体３は図１に示しているリアグリップ竿体３とは各部の比率を若干変えて示している。
【００１９】
リアグリップ竿体３の肉厚は全長に亘って略一定であり、竿本体２の後端部における肉厚と略等しい。該リアグリップ竿体３にリアグリップ部５が一体的に形成されており、該リアグリップ部５がリールシート１の後側に位置している。該リアグリップ部５は、釣竿を持っている手の肘を当てたり、両手でキャストする場合にはリールシート１を持つ手とは反対側の手で把持したりして使用されるものであり、このリアグリップ部５は、断面が非円形の異形グリップである。即ち、リアグリップ部５は、断面形状が円形ではなく、即ち円筒状ではなく、断面形状が三角形、即ち角筒状である。リアグリップ部５の断面形状が三角形であると、把持した時にグリップ性が向上して滑りにくくなり、また、肘を当てる時にも、三角形の辺の部分に当てれば、接触面積が増して安定性が良くなり、感触も柔らかなものとなる。他の多角形や非円形の場合も同様である。尚、リアグリップ部５の後端における太さは、竿体２よりも太いことが好ましく、フロントグリップ部７と同等の太さあるいはそれ以上の太さとすることが好ましい。
【００２０】
図２に示しているように、リアグリップ竿体３は、後側に向けて急勾配で内面及び外面が拡大していく急拡大部３１を備えている。具体的には、リアグリップ竿体３は、前側から順に、細い筒状の細筒部３０と、後側に向けて徐々に太くなっていく筒状の急拡大部３１と、細筒部３０よりも太い筒状の太筒部３２とから構成されており、急拡大部３１の勾配は、細筒部３０の勾配よりも大きく、太筒部３２の勾配よりも大きい。より詳細には、本実施形態において、細筒部３０の勾配と太筒部３２の勾配は何れも０であって、従って、細筒部３０と太筒部３２はストレート形状となっている。但し、細筒部３０と太筒部３２が例えば数％の勾配で後側に向けて拡大していく形状であっても無論よい。
【００２１】
このように急拡大部３１を備えることによりリアグリップ竿体３にリアグリップ部５が一体的に形成されており、急拡大部３１の主として後部と太筒部３２とからリアグリップ部５が構成されている。尚、細筒部３０の長さや太筒部３２の長さは任意であって一方が他方よりも長くてもよいし互いに同一長さであってもよいが、本実施形態では、太筒部３２の長さは、細筒部３０の長さよりも短く、また急拡大部３１の長さよりも短い。また、リアグリップ竿体３の細筒部３０にリールシート本体１０が装着され、リアグリップ竿体３は、その細筒部３０において竿本体２と重ね合わせられている。尚、リアグリップ竿体３の後端には尻栓３３が装着される。
【００２２】
本実施形態において、リアグリップ竿体３はその全長に亘って断面形状が一定のものではなく断面形状が前後で異なっているものである。即ち、リアグリップ竿体３は断面形状が前後で異なる前後異形部を備えている。図３に断面形状を示しているように、細筒部３０の断面形状は円形であり、太筒部３２の断面形状は非円形、具体的には正三角形であり、急拡大部３１のうちの所定部分において断面形状が徐々に円形から正三角形へと変化している。尚、図３では本体層のみを示している。細筒部３０は、その全長に亘って断面形状が円形であり、太筒部３２は、その全長に亘って断面形状が正三角形である。そして、急拡大部３１における前側の所定長さ領域においては、その断面形状が細筒部３０と同様に円形であって、急拡大部３１における残る後側の所定長さ領域においては、その断面形状が円形から徐々に正三角形へと変化していく。従って、リアグリップ竿体３の全長を断面形状で分類すると三つの領域に区分することができる。即ち、リアグリップ竿体３は、前側から順に、断面形状が円形である第一領域４０と、断面形状が円形から正三角形へと徐々に変化していく移行領域４１と、断面形状が正三角形である第二領域４２とに区分でき、これら第一領域４０と移行領域４１と第二領域４２とからなる前後異形部を備えた構成となっている。本実施形態において、細筒部３０と急拡大部３１の前側の所定長さ領域とが第一領域４０を構成し、急拡大部３１の後側の所定長さ領域が移行領域４１を構成し、太筒部が第二領域４２を構成する。従って、急拡大部３１は、前側の所定長さが第一領域４０を構成し、残る後側の所定長さが第二領域４２を構成している。
【００２３】
図３に示すように、リアグリップ竿体３の本体層は、一周が複数の領域に分割された周方向分割層を有している。本実施形態においては説明の簡略化のために本体層が周方向分割層のみからなる構成について説明する。図３においては、周方向分割層が一層である場合、即ち本体層が一層である場合について図示しているが、周方向分割層は一層には限られず複数層、即ち二層以上であっても無論よい。本実施形態ではリアグリップ竿体３の太筒部３２（第二領域４２）の断面形状が正三角形であるので、一周が三つに等分割されて各領域がそれぞれ一枚のプリプレグ７１，７２，７３により構成されていて、合計三枚のプリプレグ７１，７２，７３によって一層分の周方向分割層が構成されている。各プリプレグ７１，７２，７３は本体層における前後異形部の全長に対応した長さを有している。本実施形態においてはリアグリップ竿体３の全長に亘って本体層が設けられると共に、本体層の全長を前後異形部としているため、三枚のプリプレグ７１，７２，７３は何れもリアグリップ竿体３の全長に対応した長さを有している。また、三枚のプリプレグ７１，７２，７３は互いに同一形状であって、太筒部３２（第二領域４２）において一周巻き分未満の幅となっている。後述するように太筒部３２（第二領域４２）が正三角形であるので、各プリプレグ７１，７２，７３の後端における幅Ｗ２は、太筒部３２（第二領域４２）の一周分を三等分した寸法に重ね合わせ部７４の幅を足した寸法となっている。また、各プリプレグ７１，７２，７３の前端における幅Ｗ１は、細筒部３０の一周分を三等分した寸法に重ね合わせ部７４の幅を足した寸法となっている。
【００２４】
三枚のプリプレグ７１，７２，７３はその側縁部同士が内外重ね合わせられて筒状となっており、従って、その側縁部同士が重ね合わせられて形成された重ね合わせ部７４は一層の周方向分割層に合計三箇所形成されることになる。また、太筒部３２（第二領域４２）の断面形状が正三角形であって三枚のプリプレグ７１，７２，７３の幅も同一であるので、三箇所の重ね合わせ部７４は周方向に等間隔あけて配置されている。即ち、三箇所の重ね合わせ部７４は１２０度間隔で配置されている。また、重ね合わせ部７４は正三角形の角部３４に位置しており、従って、三つの辺はそれぞれ一枚のプリプレグ７１，７２，７３が受け持って構成されている。太筒部３２（第二領域４２）のみならず断面形状が円形である細筒部３０乃至第一領域４０においても同様であって、一周が三等分されて各分割領域がそれぞれ一枚のプリプレグ７１，７２，７３によって構成されており、重ね合わせ部７４も１２０度間隔で形成されている。これらの重ね合わせ部７４は前後方向に筋状に延びていてリアグリップ竿体３の全長に亘って形成されている。このように本実施形態におけるリアグリップ竿体３の本体層はその全長に亘って三枚のプリプレグによって一層分の周方向分割層が形成された構成となっている。
【００２５】
このようなリアグリップ竿体３の詳細構造をその製法と共に説明する。図４のように、マンドレル６０は、リアグリップ竿体３の形状に合わせた形状とされる。従って、マンドレル６０は、前側から順に細筒部３０を形成するための第一の部分６１と、急拡大部３１を形成するための第二の部分６２と、太筒部３２を形成するための第三の部分６３とを有する形状となっており、第一の部分６１の全長と、第二の部分６２の前側の部分は断面形状が円形であり、第三の部分６３の断面形状は正三角形であって、第二の部分６２の後側の部分において断面形状が徐々に円形から正三角形へと変化している。本体層は、リアグリップ竿体３の全長に亘って形成されたものであり、本実施形態においては一層構造であって、一層の周方向分割層からなり、図４に示すような同一形状の三枚のプリプレグ７１，７２，７３をワンセットとし、その三枚のプリプレグ７１，７２，７３から一周分の周方向分割層が形成される。
【００２６】
プリプレグ７１，７２，７３は、前後方向（リアグリップ竿体３の軸線方向）に長い形状であって、その長さＬは、リアグリップ竿体３の全長に対応した長さとなっている。即ち、プリプレグ７１，７２，７３の長さＬは、加熱焼成後に端部をカットして所定長さのリアグリップ竿体３を形成することができるように所定の余裕を有した長さとなっている。但し、リアグリップ竿体３の全長と同じ長さであってもよい。プリプレグ７１，７２，７３の幅は、マンドレル６０の各部における周長の略１／３に相当する幅である。詳細には、前端の幅Ｗ１はマンドレル６０の第一の部分６１の略１／３回巻きに相当する幅であり、後端の幅Ｗ２はマンドレル６０の第三の部分６３の略１／３回巻きに相当する幅であるが、マンドレル６０に巻回する際に各プリプレグ７１，７２，７３の幅方向の端部同士を内外重ね合わせるようにするため、周長の１／３に相当する幅に対して重ね合わせ部７４の幅に相当する分を足したもの、つまり若干の余裕を持った幅寸法となっている。何れにしても、一周を三等分した各分割領域をそれぞれ一枚のプリプレグ７１，７２，７３で形成し、三枚のプリプレグ７１，７２，７３で一周分とする。従って、プリプレグ７１，７２，７３は、細筒部３０の略１／３回巻きに相当する幅Ｗ１である第一の長方形の部分７１ａ，７２ａ，７３ａと、太筒部３２の略１／３回巻きに相当する幅Ｗ２である第二の長方形の部分７１ｃ，７２ｃ，７３ｃと、前端の幅がＷ１で後端の幅がＷ２であって後側に向けて徐々に幅がテーパ状に広がっていく台形状の部分７１ｂ，７２ｂ，７３ｂとからなる。第一の長方形の部分７１ａ，７２ａ，７３ａから細筒部３０が形成され、台形状の部分７１ｂ，７２ｂ，７３ｂから急拡大部３１が形成され、第二の長方形の部分７１ｃ，７２ｃ，７３ｃから太筒部３２が形成される。尚、図４において、第一の長方形の部分７１ａ，７２ａ，７３ａと台形状の部分７１ｂ，７２ｂ，７３ｂと第二の長方形の部分７１ｃ，７２ｃ，７３ｃの各境界部分には二点鎖線を引いて示している。
【００２７】
このようなプリプレグ７１，７２，７３には、種々の仕様のシートを使用することができるが、リアグリップ竿体３の軸線方向（前後方向）に沿った強化繊維を含むものであることが好ましい。例えば、図６に示すように強化繊維が軸線方向に沿った縦シート８１と強化繊維が周方向に沿った横シート８２とを積層一体化させた積層シート８３から所定形状に裁断されたものを使用することができる。強化繊維としては、上述した竿本体２の場合と同様であってカーボン繊維等を使用できる。
【００２８】
製法の概略について説明すると、まず一枚目のプリプレグ７１をマンドレル６０に巻き付ける。一枚目のプリプレグ７１をマンドレル６０に巻き付けるとマンドレル６０の全周のうち略１／３程度が一枚目のプリプレグ７１で巻回されることになる。一枚目のプリプレグ７１は、マンドレル６０の第三の部分６３における正三角形の一辺に巻き付けるようにして、その両側縁部は第三の部分６３における正三角形の角部６３ａにそれぞれ位置させる。次に、マンドレル６０を軸線まわりに一方向に１２０度回転させて二枚目のプリプレグ７２を同様に巻回する。二枚目のプリプレグ７２は一枚目のプリプレグ７１の幅方向の一端部（側縁部）の上に所定幅で重なり合うようにして巻き付ける。従って、一枚目のプリプレグ７１の側縁部と二枚目のプリプレグ７２の側縁部によって所定幅の重ね合わせ部７４が形成される。該重ね合わせ部７４は前後方向に延びていて全長に亘って略一定幅にて形成される。二枚目のプリプレグ７２は、マンドレル６０の第三の部分６３における正三角形の残る二辺のうちの一方の辺に巻き付けるようにする。従って、重ね合わせ部７４はマンドレル６０の第三の部分６３においては正三角形の角部６３ａに位置する。
【００２９】
更にマンドレル６０を軸線まわりに先と同じ一方向に１２０度回転させて三枚目のプリプレグ７３を巻き付ける。この場合も二枚目のプリプレグ７２の幅方向の一端部（側縁部）の上に所定幅で重なり合うようにして三枚目のプリプレグ７３を巻き付けると共に、一枚目のプリプレグ７１の幅方向の他端部（側縁部）の上にも三枚目のプリプレグ７３が所定幅で重なり合うようにする。三枚目のプリプレグ７３は、マンドレル６０の第三の部分６３における正三角形の残る一辺に巻き付けるようにする。三枚目のプリプレグ７３をマンドレル６０に巻き付けると、マンドレル６０の全周が三枚のプリプレグ７１，７２，７３によって覆われて全長に亘って一周分の巻回状態となる。プリプレグ７１，７２，７３同士の重ね合わせ部７４は、１２０度毎に合計三箇所形成されることになって、マンドレル６０の第三の部分６３においてはそれぞれ正三角形の三つの角部６３ａに位置することになる。また、三枚のプリプレグ７１，７２，７３によってマンドレル６０の第一の部分６１から第三の部分６３まで一周分の巻回状態となり、この三枚のプリプレグ７１，７２，７３によって、三つの重ね合わせ部７４を有する一周分の周方向分割層が全長に亘って形成されることになる。このようなマンドレル６０と三枚のプリプレグ７１，７２，７３との周方向の位置関係の概略を図５に示している。図５に示しているように、三枚のプリプレグ７１，７２，７３はそれぞれマンドレル６０の第三の部分６３における正三角形の各辺に対峙するように配置され巻回される。即ち、三枚のプリプレグ７１，７２，７３は、その幅方向の中央部分がそれぞれマンドレル６０の第三の部分６３における正三角形の各辺の中央部に位置するようにして巻回される。尚、本実施形態においては、本体層が一層の周方向分割層から構成されているので、このような三枚のプリプレグ７１，７２，７３をワンセットとした一周分の巻回工程を一回のみ行うが、周方向分割層を二層以上形成する場合には、引き続いて二回目以降の巻回工程を同様に行う。
【００３０】
そして、このように周方向分割層からなる本体層を形成した後、その外側に図示しない外層を形成する。該外層は、本体層の外側にテープ状のプリプレグを全長に亘って螺旋状に巻回して形成する。即ち、本実施形態においてリアグリップ竿体３は本体層と外層とから構成される。テープ状のプリプレグはその長手方向に沿ってカーボン繊維等の強化繊維が引き揃えられたものであり、種々の厚さのものを使用できる。尚、テープ状のプリプレグは密巻に巻回することが好ましい。密巻とは隙間を空けない巻き状態であって且つオーバーラップすることがない状態で巻き付けていくことであり、この密巻によって外層が隙間なく一定厚さで形成される。その後、図示しない成形テープを巻き付けて締め付ける。該成形テープは所定幅の重なり部分を持たせながら竿軸方向の一方側から他方側に向けて螺旋状に巻回していく。そして加熱焼成した後、成形テープを除去してマンドレル６０を引き抜いて両端部をカットしてリアグリップ竿体３が形成される。
【００３１】
このようにして形成されるリアグリップ竿体３にあっては、三枚のプリプレグ７１，７２，７３から一周分の周方向分割層を形成しているので、一枚のプリプレグを一周巻き以上巻回して本体層の太筒部３２（第二領域４２）を形成する構成に比して、前後で断面形状が異なっていても、また、その中途部に急拡大部３１が存在していても、プリプレグ７１，７２，７３にシワや捻れが発生しにくくなり、良好な美観と安定した強度を有するリアグリップ竿体３を容易に製造することができる。
【００３２】
また、リアグリップ竿体３の全長に亘って前後の接合部分が存在しないので、応力集中の発生を防止でき、十分な曲げ強度を容易に確保できる。しかも、プリプレグ７１，７２，７３同士の重ね合わせ部７４が全長に亘って筋状に延びていて、該筋状の重ね合わせ部７４がリブとして機能することにもなるので、リアグリップ竿体３の曲げ強度も容易に確保できる。
【００３３】
更に、一層分の周方向分割層が正三角形の辺の数と同じ枚数である三枚のプリプレグ７１，７２，７３によって構成されているので、バランスの良いリアグリップ竿体３が得られる。特に、一周を三等分するように三枚のプリプレグ７１，７２，７３が互いに同一形状となっているので、重ね合わせ部７４が周方向に一定の間隔をあけて形成されることになり、周方向にバランスの採れたリアグリップ竿体３が得られる。しかも、太筒部３２（第二領域４２）において、三つの重ね合わせ部７４がそれぞれ正三角形の角部３４に位置しているので、バランスの良いリアグリップ竿体３となる。更に、リアグリップ竿体３の全長に亘って一周分の周方向分割層となっているので、全長に亘って厚みを略均等にすることができる。
【００３４】
また、縦シート８０と横シート８１が予め積層されて一体化した積層シート８３をプリプレグ７１，７２，７３に使用すれば、周方向分割層が一周分の巻き数であっても、リアグリップ竿体３の強度を容易に確保することができる。
【００３５】
尚、本実施形態では、三箇所の重ね合わせ部７４が太筒部３２（第二領域４２）における正三角形の各角部３４にそれぞれ位置するように、三枚のプレプレグ７１，７２，７３をマンドレル６０の第三の部分６３における正三角形の各辺に対峙させて配置したが、図８に示すように、三枚のプレプレグ７１，７２，７３の幅方向の中央部がマンドレル６０の第三の部分６３における正三角形の各角部６３ａにそれぞれ一致するように配置してもよい。この場合、図７のように三箇所の重ね合わせ部７４は、太筒部３２（第二領域４２）における正三角形の各辺の中央部にそれぞれ位置する。このように太筒部３２（第二領域４２）において三つの重ね合わせ部７４がそれぞれ正三角形の辺の中央部に位置する構成としても、バランスの良いリアグリップ竿体３が得られる。
【００３６】
また、図９や図１０に示しているように、三枚のプレプレグ７１，７２，７３を全長に亘って幅一定の長方形状としてもよい。その幅は、太筒部３２の略１／３回巻きに相当する幅Ｗ２とする。図９は、図５と同様の配置態様であって、三箇所の重ね合わせ部７４が太筒部３２（第二領域４２）における正三角形の各角部３４にそれぞれ位置するように、三枚のプレプレグ７１，７２，７３をマンドレル６０の第三の部分６３における正三角形の各辺に対応してそれぞれ配置する場合である。図１０は、図８と同様の配置態様であって、三箇所の重ね合わせ部７４が太筒部３２（第二領域４２）における正三角形の各辺の中央部にそれぞれ位置するように、三枚のプレプレグ７１，７２，７３をその幅方向の中央部がマンドレル６０の第三の部分６３における正三角形の各角部６３ａにそれぞれ一致するように配置する場合である。このように幅一定のプリプレグ７１，７２，７３を使用すると、細筒部３０が太筒部３２よりも細くて小径であるために、太筒部３２においては三枚のプリプレグによって一周分の周方向分割層が形成される一方、細筒部３０においては三枚のプリプレグによって一周分を越える巻き数の周方向分割層が形成される。細筒部３０の径にもよるが、三枚のプリプレグ７１，７２，７３によって例えば二周分以上の巻き数の周方向分割層を形成することもできる。このように、細筒部３０において三枚のプリプレグ７１，７２，７３によって一周分を越える巻き数の周方向分割層を形成すると、細筒部３０における厚さを容易に増すことができて細筒部３０における強度を上げることができる。但し、太筒部３２においては図５や図８に示した場合と同様に、三枚のプリプレグ７１，７２，７３によって一周分の巻き数の周方向分割層となるので、プリプレグ７１，７２，７３にシワや捻れが発生しにくい。
【００３７】
尚、一周の略三等分である略１２０度の分割領域に相当する幅を有する合計三枚のプリプレグ７１，７２，７３で一層の周方向分割層を形成したが、略１８０度の分割領域に相当する幅を有する合計二枚のプリプレグで一層の周方向分割層を形成してもよい。また一周を四分割したり五分割したりしてもよい。複数枚のプリプレグが互いに同幅でなくてもよく、形状についても互いに異なっていてもよい。複数枚のプリプレグは、太筒部３２（第二領域４２）における一周巻き分未満の幅を有するものであればよい。
【００３８】
また、太筒部３２（第二領域４２）が正三角形である場合について説明したが、その他の多角形であっても無論よい。例えば、図１１に示すように太筒部３２（第二領域４２）を正五角形としてもよい。尚、図１１及び後述の図１２においてはハッチングを省略している。図１１のように太筒部３２（第二領域４２）を正五角形とする場合には、正五角形の辺の数と同数である合計五枚の同一形状のプリプレグ９１，９２，９３，９４，９５から一層の周方向分割層を形成することが好ましい。図１１（ａ）は五箇所の重ね合わせ部７４が太筒部３２（第二領域４２）における正五角形の各角部３４にそれぞれ位置するように、五枚のプレプレグ９１，９２，９３，９４，９５をマンドレル６０の第三の部分６３における正五角形の各辺に対応させて配置した場合であり、図１１（ｂ）は五箇所の重ね合わせ部７４が太筒部３２（第二領域４２）における正五角形の各辺の中央部にそれぞれ位置するように、五枚のプレプレグ９１，９２，９３，９４，９５をその幅方向の中央部がマンドレル６０の第三の部分６３における正五角形の各角部６３ａにそれぞれ一致するように配置した場合である。
【００３９】
更に、辺の数が奇数の多角形である他、辺の数が偶数の多角形であってもよい。正六角形の場合を例示すると、正六角形の辺の数は６であり、１を除く約数は２、３あるいは６であるので、二枚、三枚あるいは六枚のプリプレグによって一層の周方向分割層を形成することが好ましいが、特に、二枚あるいは三枚のプリプレグによって一層分の周方向分割層を形成することが好ましく、三枚のプリプレグによって一層分の周方向分割層を形成することが特に好ましい。三枚のプリプレグによって一層分の周方向分割層を形成すると、重ね合わせ部７４が一層分の周方向分割層に１２０度毎の三箇所に均等に配置できて、バランスが特に優れたリアグリップ竿体３を形成できる。例えば、図１２（ａ）のように、三枚のプリプレグ１１１，１１２，１１３によって一層の周方向分割層を形成すると、各プリプレグ１１１，１１２，１１３がそれぞれ正六角形の二つの辺を受け持つことになる。尚、図１２（ａ）では重ね合わせ部７４が角部３４に位置するようにプリプレグ１１１，１１２，１１３を配置しているが、重ね合わせ部７４が辺の中央部に位置するようにプリプレグを配置してもよい。また、二枚のプリプレグによって一層分の周方向分割層を形成する場合には、一枚のプリプレグが三つの辺を受け持つことになり、一層分の周方向分割層に重ね合わせ部７４が１８０度対向して二箇所形成されることになる。
【００４０】
図１２（ｂ）は周方向分割層を二層形成した場合であって、三枚のプリプレグがワンセットとなって太筒部３２（第二領域４２）における一周分の周方向分割層を形成している。内側の三枚のプリプレグ１１１，１１２，１１３で一層目の周方向分割層が形成され、同様にしてその外側に更に三枚のプリプレグ１２１，１２２，１２３によって二層目の周方向分割層が形成されて、合計二層の周方向分割層が形成されている。尚、一層目の周方向分割層においても、また、二層目の周方向分割層においても、何れも、角部３４に重ね合わせ部７４が位置しているが、一層目の重ね合わせ部７４と二層目の重ね合わせ部７４は異なる角部３４に位置していて互いに周方向に位置ずれした関係にあり、その結果、六つの角部３４の何れにも同様に重ね合わせ部７４が形成されている。このようにすることでより一層周方向に均等なリアグリップ竿体３を形成できる。尚、周方向分割層は三層以上であってもよい。
【００４１】
尚、このように周方向分割層を二層以上形成する場合には、例えば正六角形の場合、一層目の周方向分割層を三枚のプリプレグによって形成し、二層目の周方向分割層を二枚のプリプレグによって形成するようにしてもよく、各層毎にプリプレグの枚数を異なるようにしてもよい。また、各層においてプリプレグの枚数を同数とする一方、各層毎にプリプレグの形状や幅を変えるようにしてもよい。更に、一層目の周方向分割層については重ね合わせ部７４を角部３４に位置させ、二層目の周方向分割層については重ね合わせ部７４を辺の中央部に位置させるようにする等、層毎に重ね合わせ部７４の位置を変えてもよい。
【００４２】
また、第二領域４２の断面形状は正多角形とすることが好ましいが、正多角形以外の多角形としてもよく、多角形以外の楕円形や長円形等の非円形の形状としてもよい。第二領域４２の断面形状が円形であって第一領域４０の断面形状を多角形等としてもよい。更に、第一領域４０の断面形状が三角形で第二領域４２の断面形状が六角形であってもよく、第一領域４０の断面形状と第二領域４２の断面形状とが互いに異なるものであればよい。
【００４３】
尚、前後異形部は、リアグリップ竿体３の全長でなくてもよく、第一領域４０及び第二領域４２の長さは短くてもよい。従って、例えば急拡大部３１と太筒部３２とから前後異形部が構成されてもよい。また、細筒部３０と太筒部３２の勾配を何れも０としたが、細筒部３０や太筒部３２の勾配を０ではなく緩い勾配として、後側に向けて徐々に拡大する形状としてもよい。また、急拡大部３１を設けたが、急拡大部３１を設けずに、全長に亘って勾配０としたり数％程度の勾配としたりする等、全長に亘って一定の勾配としてもよい。
【００４４】
また、上記実施形態ではリアグリップ竿体３に適用した場合について説明したが、リアグリップ竿体３には限られず、各種の竿体に使用することができる。また、リールを装着する釣竿について説明したが、のべ竿等のようにリールを装着しないタイプの釣竿であってもよい。
【００４５】
尚、本体層の内側に内層を形成してもよく、その内層も外層と同様にテープ状のプリプレグを螺旋状に巻回することにより形成できる。また、マンドレル６０にプリプレグを巻回して中空状の竿体とする以外に、ソリッド体の外側に本体層を形成して中実状の竿体としてもよい。
【符号の説明】
【００４６】
１    リールシート
２    竿本体
３    リアグリップ竿体
４    前後重ね合わせ部
５    リアグリップ部
７    フロントグリップ部
１０    リールシート本体
１１    可動フード体
１２    ナット
１３    リール脚載置部
１４    固定フード部
１５    雄ねじ部
３０    細筒部
３１    急拡大部
３２    太筒部
３３    尻栓
３４    角部
４０    第一領域
４１    移行領域
４２    第二領域
６０    マンドレル
６１    第一の部分
６２    第二の部分
６３    第三の部分
６３ａ  角部
７１    プリプレグ
７１ａ  第一の長方形の部分
７１ｂ  台形状の部分
７１ｃ  第二の長方形の部分
７２    プリプレグ
７２ａ  第一の長方形の部分
７２ｂ  台形状の部分
７２ｃ  第二の長方形の部分
７３    プリプレグ
７３ａ  第一の長方形の部分
７３ｂ  台形状の部分
７３ｃ  第二の長方形の部分
７４    重ね合わせ部
８１    縦シート
８２    横シート
８３    積層シート
９１    プリプレグ
９２    プリプレグ
９３    プリプレグ
９４    プリプレグ
９５    プリプレグ
１００    リールの脚部
１１１  一層目のプリプレグ
１１２  一層目のプリプレグ
１１３  一層目のプリプレグ
１２１  二層目のプリプレグ
１２２  二層目のプリプレグ
１２３  二層目のプリプレグ
【図１】
2015133936.tif 000003
【図２】
2015133936.tif 000004
【図３】
2015133936.tif 000005
【図４】
2015133936.tif 000006
【図５】
2015133936.tif 000007
【図６】
2015133936.tif 000008
【図７】
2015133936.tif 000009
【図８】
2015133936.tif 000010
【図９】
2015133936.tif 000011
【図１０】
2015133936.tif 000012
【図１１】
2015133936.tif 000013
【図１２】
2015133936.tif 000014